(57)【要約】【課題】無駄に廃棄する媒体の枚数を削減できるようにする。【解決手段】利用者が受け取らなかったクーポンＣｐを退避エリア１１に退避させ、そのうえで、受信した印刷要求に応じてクーポンＣｐを印刷する前に、この印刷要求に印刷するよう指示されているクーポン画像と同一のクーポン画像が印刷されたクーポンＣｐが、退避エリア１１に退避させているクーポンＣｐの中に存在するかどうかを確認し、存在する場合には、新たなクーポンＣｐを印刷して排出する代わりに、この退避エリア１１に退避させているクーポンＣｐを排出するようにした。こうすることで、クーポンＣｐを再利用することができ、利用者が受け取らなかったクーポンＣｐを無条件に廃棄する従来のクーポンプリンタと比べて、無駄に廃棄するクーポンＣｐの枚数を削減することができる。【選択図】図２
2017197326.tif 000002
【特許請求の範囲】
【請求項１】
媒体に画像を形成する画像形成部と、
画像が形成された前記媒体の一部を排出口から外部に露出させた状態で、前記媒体を保持する媒体保持部と、
前記媒体を退避させる退避エリアと、
前記媒体保持部により保持されている前記媒体を、前記退避エリアに搬送して退避させる搬送部と、
次の媒体に形成する画像が、前記退避エリアに退避させている媒体に形成されている画像と一致する場合には、前記退避エリアに退避させている媒体を、前記排出口まで搬送して一部を前記排出口から外部に露出させた状態で保持するように、前記媒体保持部及び前記搬送部を制御する制御部と
を備える
ことを特徴とする画像形成装置。
【請求項２】
前記制御部は、
次の媒体に画像を形成する前に、前記排出口から一部を外部に露出させた状態で保持している前記媒体を前記退避エリアに搬送して退避させる
ことを特徴とする請求項１に記載の画像形成装置。
【請求項３】
前記媒体は、単票媒体である
ことを特徴とする請求項１又は２に記載の画像形成装置。
【請求項４】
さらに、廃棄する媒体を収容する廃棄エリアを備え、
前記制御部は、
前記退避エリアに前記媒体を退避させている場合、前記退避エリアに退避させている前記媒体を前記廃棄エリアに搬送して、前記排出口から一部を外部に露出させた状態で保持している前記媒体を前記退避エリアに搬送して退避させる
ことを特徴とする請求項３に記載の画像形成装置。
【請求項５】
前記退避エリアは複数設けられていて、
前記制御部は、
複数の退避エリアの全てに前記媒体を退避させている場合、複数の退避エリアのうちの１つに退避させている媒体を前記廃棄エリアに搬送して前記複数の退避エリアのうちの１つを空にしたうえで、前記排出口から一部を外部に露出させた状態で保持している前記媒体を空にした退避エリアに搬送して退避させる
ことを特徴とする請求項４に記載の画像形成装置。
【請求項６】
前記制御部は、
外部から受信した画像形成要求に応じて、前記媒体に画像を形成するように、前記画像形成部を制御し、
前記画像形成要求には、前記媒体に形成する画像の画像データと当該画像の画像識別情報とが含まれ、
さらに前記制御部は、
前記複数の退避エリアに退避させている媒体に形成された画像の前記画像識別情報を当該媒体ごとに記憶管理し、受信した前記画像形成要求に含まれている画像識別情報と同一の画像識別情報でなる画像が形成された媒体が、複数の前記退避エリアに退避させている媒体の中に存在する場合に、前記画像形成要求に含まれている画像識別情報と同一の画像識別情報でなる画像が形成された媒体を、前記退避エリアから前記排出口まで搬送して一部を前記媒体排出口から外部に露出させた状態で保持する
ことを特徴とする請求項５に記載の画像形成装置。
【請求項７】
前記制御部は、
前記媒体を前記退避エリアに退避させる度に、媒体ごとの退避回数をカウントして、当該退避回数が上限回数を超えた媒体については、前記廃棄エリアに搬送する
ことを特徴とする請求項６に記載の画像形成装置。
【請求項８】
前記制御部は、
前記複数の退避エリアの全てに前記媒体を退避させている場合、前記複数の退避エリアのそれぞれに退避させている媒体のうち、再利用する可能性が最も低い媒体を前記廃棄エリアに搬送して、複数の退避エリアの１つを空にしたうえで、前記排出口から一部を外部に露出させた状態で保持している前記媒体を空にした退避エリアに搬送して退避させる
ことを特徴とする請求項６又は７に記載の画像形成装置。
【請求項９】
前記制御部は、
前記画像形成要求を受信する度に、前記画像識別情報ごとの総画像形成要求回数をカウントして、前記複数の退避エリアに退避させている媒体の画像識別情報における総画像形成要求回数を、当該画像識別情報ごとに記憶管理し、前記複数の退避エリアのそれぞれに退避させている媒体のうち、前記画像識別情報における総画像形成要求回数が最小の媒体を、再利用する可能性が最も低い媒体として前記廃棄エリアに搬送する
ことを特徴とする請求項８に記載の画像形成装置。
【発明の詳細な説明】
【技術分野】
【０００１】
本発明は、画像形成装置に関するものであり、例えば、媒体に画像を形成して、この媒体をクーポンなどの単票紙として排出する画像形成装置に適用して好適なものである。
【背景技術】
【０００２】
従来、媒体に画像を形成して単票紙として排出する画像形成装置としては、例えば、ＡＴＭ（Automatic  Teller  Machine）などに内蔵された、レシートを出力するプリンタ（これをレシートプリンタと呼ぶ）がある。また、この種のレシートプリンタとして、レシートを必要としない利用者がいることを考慮し、印字後のレシートを回収する回収機能を備えたものが提案されている（例えば特許文献１参照）。
【０００３】
具体的に、このレシートプリンタでは、印字後のレシートの後端部をレシート排出口近傍に対向配置された２つのローラで挟持して、レシートの後端部より先の部分をレシート排出口からレシートプリンタの外部に露出させた状態で保持する。その後、所定時間経過しても利用者がレシートを受け取らなかった場合には、レシートをレシートプリンタの内部に設けられた回収トレイに搬送して回収するようになっている。このようにして回収トレイに回収されたレシートは廃棄される。
【先行技術文献】
【特許文献】
【０００４】
【特許文献１】特開２００１−１１４４６４号公報
【発明の概要】
【発明が解決しようとする課題】
【０００５】
また一方で、媒体に画像を形成して単票紙として排出する画像形成装置として、例えば、スーパーマーケットなどに配置される、クーポンを出力するプリンタ（これをクーポンプリンタと呼ぶ）がある。このクーポンプリンタでは、利用者ごとに印字内容が異なるレシートを出力するレシートプリンタとは異なり、例えば『肉類１０％引き』などのように、複数の利用者に対して共通の印字内容のクーポンを出力する場合がある。
【０００６】
このようなクーポンプリンタに従来の回収機能を適用すると、クーポンプリンタでは、レシートプリンタと同様、利用者が受け取らなかったクーポンを無条件に回収して廃棄することになる。ここで、複数の利用者に対して共通の印字内容であるクーポンなどの単票紙を出力するプリンタにおいて、利用者が受け取らなかった単票紙を廃棄せずに、以降の出力時に再利用することができれば、無駄に廃棄する単票紙の枚数を削減できるものと考えられる。
【０００７】
本発明は以上の点を考慮したものであり、無駄に廃棄する媒体の枚数を削減できる画像形成装置を提案しようとするものである。
【課題を解決するための手段】
【０００８】
本発明の画像形成装置は、媒体に画像を形成する画像形成部と、画像が形成された前記媒体の一部を排出口から外部に露出させた状態で、前記媒体を保持する媒体保持部と、前記媒体を退避させる退避エリアと、前記媒体保持部により保持されている前記媒体を、前記退避エリアに搬送して前記退避エリアに退避させる搬送部と、次の媒体に形成する画像が、前記退避エリアに退避させている媒体に形成されている画像と一致する場合には、前記退避エリアに退避させている媒体を、前記排出口まで搬送して一部を前記排出口から外部に露出させた状態で保持するように、前記媒体保持部及び前記搬送部を制御する制御部とを備える。
【０００９】
こうすることで、或る利用者が受け取らなかった媒体を、廃棄せずに、以降の出力時に再利用することができる。
【発明の効果】
【００１０】
かくして本発明は、無駄に廃棄する媒体の枚数を削減できる画像形成装置を実現できる。
【図面の簡単な説明】
【００１１】
【図１】第１の実施の形態によるクーポンプリンタの構成を示す側面図である。
【図２】第１の実施の形態による出力処理の手順を示すフローチャートである。
【図３】第１の実施の形態によるクーポンプリンタの退避エリアの全てにクーポンが退避されている状態を示す側面図である。
【図４】第２の実施の形態による出力処理の手順を示すフローチャートである。
【図５】第３の実施の形態による出力処理の手順を示すフローチャートである。
【図６】他の実施の形態によるクーポンプリンタの構成を示す側面図である。
【発明を実施するための形態】
【００１２】
以下、発明を実施するための形態（以下、これを実施の形態と呼ぶ）について、図面を用いて詳細に説明する。
【００１３】
［１．第１の実施の形態］
［１−１．クーポンプリンタの構成］
図１に、第１の実施の形態による画像形成装置としてのクーポンプリンタ１の構成を示す。尚、図１は、クーポンプリンタ１の構成を示す模式的な側面図である。クーポンプリンタ１は、略箱型の筐体２を有している。尚、筐体２の図中左側の面を前面、図中右側の面を後面として、筐体２の前面から後面への方向を後方向、後面から前面への方向を前方向、筐体２の下側から上側への方向を上方向、筐体２の上側から下側への方向を下方向、筐体２の図中手前側から奥側への方向を左方向、筐体２の図中奥側から手前側への方向を右方向とする。
【００１４】
筐体２後方の上部には、円筒状に巻回されたロール紙Ｒｐを保持するロール紙保持部３が設けられている。詳しくは後述するが、クーポンプリンタ１は、このロール紙Ｒｐを１枚１枚カットして長方形（もしくは正方形）の単票紙であるクーポンＣｐを出力（すなわち印刷して排出）して利用者に提供するようになっている。筐体２後方の下部、すなわちロール紙保持部３の下方には、廃棄するクーポンＣｐを収容する廃棄エリア４が設けられている。
【００１５】
筐体２の内部には、上部に、ロール紙Ｒｐにクーポン画像を印刷する印刷部１０が設けられている。さらに、この印刷部１０の下方には、クーポンＣｐを退避させる退避エリア１１が、上下方向に複数個（例えば４個）並べて設けられている。４個の退避エリア１１（１１Ａ〜１１Ｄ）は、それぞれ筐体２の前面から後面へと延びていて、廃棄エリア４よりも上方に配置されている。また、４個の退避エリア１１（１１Ａ〜１１Ｄ）は、それぞれ後端（すなわち筐体２の後面）に、クーポンＣｐを廃棄エリア４に放出する為の廃棄口１２が設けられている。さらに筐体２の内部には、所定位置（例えば上端）に、クーポンプリンタ１の全体を制御する制御部１３が設けられている。尚、制御部１３は、内部に不揮発性メモリなどの記憶部を有していて、この記憶部から読み出したプログラムを実行したり、記憶部に対して各種情報を読み書きしたりすることで、クーポンプリンタ１の全体を制御するようになっている。
【００１６】
さらに、筐体２には、後面の上部（すなわち印刷部１０の後方であり、１番上の廃棄口１２のさらに上方）に、ロール紙Ｒｐの給紙口１４が設けられ、前面の上部（すなわち印刷部１０の前方）に、クーポンＣｐの排出口１５が設けられている。さらに、筐体２の内部には、給紙口１４から排出口１５へと延びる搬送路Ｒ１が設けられている。印刷部１０は、この搬送路Ｒ１上に配置されている。
【００１７】
さらに、この搬送路Ｒ１の給紙口１４近傍には、搬送路Ｒ１を挟んで上下方向に対向配置された２個の給紙ローラ１６Ａ、１６Ｂが配置されている。クーポンプリンタ１は、給紙口１４に挿入されたロール紙Ｒｐの先端部分を２個の給紙ローラ１６Ａ、１６Ｂの間に挟んで筐体２の内部へ取り込むようにしてロール紙Ｒｐを給紙するようになっている。さらに、この給紙ローラ１６Ａ、１６Ｂの前側（すなわち印刷部１０側）近傍には、ロール紙Ｒｐをカットするカッタ１７が配置されている。
【００１８】
また、搬送路Ｒ１の排出口１５近傍には、搬送路Ｒ１を挟んで上下方向に対向配置された２個の排出ローラ１８Ａ、１８Ｂが配置されている。さらに、この２個の排出ローラ１８Ａ、１８Ｂと、排出口１５との間に、クーポンＣｐの有無を検出する為のセンサ１９が配置されている。尚、センサ１９は、例えばこのセンサ１９の位置にクーポンＣｐが存在していればオン、存在していなければオフとなるように動作する。
【００１９】
さらに、筐体２の内部には、２個の排出ローラ１８Ａ、１８Ｂの後側（すなわち印刷部１０側）近傍で、搬送路Ｒ１から分岐して下方へと延び、退避エリア１１Ａ、１１Ｂ、１１Ｃのそれぞれの前端部を通って１番下の退避エリア１１Ｄの前端部まで延びる搬送路Ｒ２が設けられている。さらに退避エリア１１Ａ、１１Ｂ、１１Ｃの内部には、搬送路Ｒ２から分岐して後方へと延び、後端の廃棄口１２まで延びる搬送路Ｒ３、Ｒ４、Ｒ５が設けられている。さらに、１番下の退避エリア１１Ｄの内部には、搬送路Ｒ２の下端から後方へと延び、後端の廃棄口１２まで延びる搬送路Ｒ６が設けられている。
【００２０】
４個の退避エリア１１（１１Ａ〜１１Ｄ）は、それぞれ内部を通る搬送路Ｒ３〜Ｒ６上にクーポンＣｐを退避させるようになっている。さらに、４個の退避エリア１１（１１Ａ〜１１Ｄ）の内部の搬送路Ｒ３〜Ｒ６上には、それぞれクーポンＣｐの有無を検出する為のセンサ２０が設けられている。各退避エリア１１（１１Ａ〜１１Ｄ）に設けられたセンサ２０も、例えば退避エリア１１内にクーポンＣｐが存在していればオン、存在していなければオフとなるように動作する。
【００２１】
さらに、搬送路Ｒ２には、複数個所に、搬送路Ｒ２を挟んで対向配置された２個の搬送ローラ２１Ａ、２１Ｂが配置されている。また、各退避エリア１１（１１Ａ〜１１Ｄ）の搬送路Ｒ３〜Ｒ６にも、それぞれ複数個所に、搬送路Ｒ３〜Ｒ６を挟んで対向配置された２個の搬送ローラ２１Ａ、２１Ｂが配置されている。
【００２２】
尚、クーポンプリンタ１では、長方形のクーポンＣｐを、２個の排出ローラ１８Ａ、１８Ｂ、及び２個の搬送ローラ２１Ａ、２１Ｂの間に挟んで長手方向に搬送するようになっている。この為、筐体２の前後方向の長さは、クーポンＣｐの長辺より長く、各退避エリア１１（１１Ａ〜１１Ｄ）の内部に設けられた、クーポンを退避させる場所となる搬送路Ｒ３〜Ｒ６も、それぞれクーポンＣｐの長辺より長くなっている。尚、長方形のクーポンＣｐを短手方向に搬送するようにしても構わない。
【００２３】
また、図１では省略しているが、クーポンプリンタ１は、外部のホストコンピュータと通信する通信部を備えていて、制御部１３が、このホストコンピュータからの印刷要求に応じて各部を制御することで、クーポンＣｐを出力するようになっている。クーポンプリンタ１の構成は、以上のようになっている。尚、クーポンプリンタ１から出力されるクーポンＣｐは、例えば『肉類１０％引き』などのように、複数の利用者に対して共通の印字内容となることがある。
【００２４】
［１−２．クーポンプリンタの出力処理］
次に、このクーポンプリンタ１の出力処理について、図２に示すフローチャートを用いて説明する。尚、この出力処理は、制御部１３が主体となって実行する処理である。クーポンプリンタ１の制御部１３は、通信部を介してホストコンピュータからクーポンの印刷要求を受信すると、この出力処理を開始して、ステップＳＰ１に移る。ステップＳＰ１において制御部１３は、給紙口１４に挿入されたロール紙Ｒｐの先端部分を２個の給紙ローラ１６Ａ、１６Ｂの間に挟んで筐体２の内部へ取り込むようにしてロール紙Ｒｐを給紙する。
【００２５】
つづくステップＳＰ２において制御部１３は、印刷部１０を制御して、給紙したロール紙Ｒｐにクーポン画像を印刷する。また、このとき制御部１３は、ロール紙Ｒｐを、クーポンＣｐの長さ分搬送するとカッタ１７によりロール紙Ｒｐをカットする。これにより、クーポンＣｐが生成される。
【００２６】
つづくステップＳＰ３において制御部１３は、クーポンＣｐを排出口１５へ搬送して排出口１５からクーポンＣｐを筐体２の外部に排出していき、クーポンＣｐの後端部が２個の排出ローラ１８Ａ、１８Ｂの間に到達するまでクーポンＣｐを排出した時点で、クーポンＣｐの搬送を停止する。この結果、図１に示すように、クーポンＣｐは、後端部より先の部分が排出口１５から筐体２の外部に露出した状態で保持される。つまり、クーポンＣｐは、利用者が抜き取り可能な状態で保持される。
【００２７】
つづくステップＳＰ４において制御部１３は、ホストコンピュータからの次の印刷要求を待ち受ける。ここで、次の印刷要求を受信すると、制御部１３は、ステップＳＰ５に移る。ステップＳＰ５において制御部１３は、後端部より先の部分が排出口１５から露出した状態で保持されているクーポンＣｐが抜き取られたかどうかを判断する。具体的に、制御部１３は、排出口１５近傍に設けられたセンサ１９がオンからオフに切り替わったかどうかで、クーポンＣｐが抜き取られたかどうかを判断するようになっている。
【００２８】
ここで、まだクーポンＣｐが抜き取られていない場合、制御部１３は、ステップＳＰ５で否定結果を得て、ステップＳＰ６に移る。ステップＳＰ６において制御部１３は、４個の退避エリア１１（１１Ａ〜１１Ｄ）の中に、クーポンＣｐを退避させていない空の退避エリア１１が有るかどうかを判断する。具体的に、制御部１３は、各退避エリア１１（１１Ａ〜１１Ｄ）に設けられたセンサ２０のうち、オフのセンサ２０があるかどうかで、空の退避エリア１１が有るかどうかを判断する。
【００２９】
ここで、図３に示すように、空の退避エリア１１が１つも無い場合、制御部１３は、ステップＳＰ６で否定結果を得て、ステップＳＰ７に移る。ステップＳＰ７において制御部１３は、４個の退避エリアのうちの１つ（例えば１番上の退避エリア１１Ａ）に退避させているクーポンＣｐを、退避エリア１１の廃棄口１２へ搬送して、廃棄口１２から廃棄エリア４に放出する（すなわちクーポンＣｐを廃棄エリア４に搬送する）ことで、この退避エリア１１を空にする。その後、制御部１３は、ステップＳＰ８に移る。
【００３０】
また一方で、空の退避エリア１１が有る場合、制御部１３は、ステップＳＰ６で肯定結果を得て、ステップＳＰ７の処理（すなわちクーポンＣｐの廃棄処理）を飛ばして、ステップＳＰ８に移る。ステップＳＰ８において制御部１３は、２個の排出ローラ１８Ａ、１８Ｂを、排出時とは逆方向に回転させることで、これら２個の排出ローラ１８Ａ、１８Ｂで保持しているクーポンＣｐ（すなわち抜き取られなかったクーポンＣｐ）を、筐体２の内部に取り込み、空いている退避エリア１１へ搬送して、この退避エリア１１に退避させる。その後、制御部１３は、ステップＳＰ９に移る。
【００３１】
また一方で、クーポンＣｐが抜き取られていた場合、制御部１３は、ステップＳＰ５で肯定結果を得て、ステップＳＰ６〜ステップＳＰ８の処理（すなわちクーポンＣｐの廃棄処理、及びクーポンＣｐの退避処理）を飛ばして、ステップＳＰ９に移る。
【００３２】
ステップＳＰ９において制御部１３は、ステップＳＰ４で受信した次の印刷要求で印刷するクーポン画像と同一のクーポン画像が印刷されているクーポンＣｐが、退避エリア１１に退避させているクーポンＣｐの中に存在するかどうかを判断する。
【００３３】
具体的に、ホストコンピュータから送信されてくる印刷要求には、クーポン画像の画像データとともに、クーポン画像の印刷パターンを識別する為のパターンコードが含まれている。制御部１３は、クーポンＣｐを生成するときに、印刷要求からこのパターンコードを取得して、クーポンＣｐごとに割り当てたＩＤなどのクーポン識別情報とともに記憶部に記憶するようになっている。さらに、制御部１３は、クーポンＣｐを空いている退避エリア１１に退避させたときに、このクーポンＣｐのクーポン識別情報を、退避エリア１１の番号（例えば１番〜４番）と紐付ける（すなわち記憶部に記憶する）ようになっている。こうすることで、制御部１３は、現在、どの退避エリア１１に、どのパターンコードのクーポンＣｐを退避させているのかを管理できるようになっている。
【００３４】
したがって、制御部１３は、ステップＳＰ４で受信した次の印刷要求に含まれるパターンコードと一致するパターンコードのクーポンＣｐが、退避エリア１１に退避させているクーポンＣｐの中に存在するかどうかで、次の印刷要求で印刷するクーポン画像と同一のクーポン画像が印刷されたクーポンＣｐが、退避エリア１１に退避させているクーポンＣｐの中に存在するかどうかを判断するようになっている。
【００３５】
ここで、次の印刷要求で印刷するクーポン画像と同一のクーポン画像が印刷されたクーポンＣｐが、退避エリア１１に退避させているクーポンＣｐの中に存在する場合、制御部１３は、ステップＳＰ９で肯定結果を得て、ステップＳＰ１０に移る。ステップＳＰ１０において制御部１３は、次の印刷要求で印刷するクーポン画像と同一のクーポン画像が印刷されたクーポンＣｐを、退避エリア１１から排出口１５へ搬送して、クーポンＣｐの後端部より先の部分が排出口１５から筐体２の外部に露出した状態で保持する。そして、制御部１３は、再びステップＳＰ４に戻り、次の印刷要求を待ち受ける。
【００３６】
また一方で、次の印刷要求で印刷するクーポン画像と同一のクーポン画像が印刷されたクーポンＣｐが、退避エリア１１に退避させているクーポンＣｐの中に存在しない場合（退避エリア１１に退避させているクーポンＣｐが１枚も存在しない場合も含まれる）、制御部１３は、ステップＳＰ９で否定結果を得て、ステップＳＰ１に戻り、ロール紙Ｒｐを給紙して、給紙したロール紙Ｒｐにクーポン画像を印刷する。
【００３７】
クーポンプリンタ１の出力処理は、以上のようになっている。このように、クーポンプリンタ１では、利用者がクーポンＣｐを受け取らなかった場合に、このクーポンＣｐを退避エリア１１に退避させ、以降に出力するクーポンＣｐが、退避エリア１１に退避させたクーポンと同一のクーポンであるときには、新たなクーポンＣｐを出力する代わりに、退避エリアに退避させているクーポンＣｐを排出するようになっている。
【００３８】
［１−３．まとめと効果］
ここまで説明したように、第１の実施の形態のクーポンプリンタ１は、退避エリア１１（１１Ａ〜１１Ｄ）を備えていることで、利用者が受け取らなかったクーポンＣｐを退避エリア１１（１１Ａ〜１１Ｄ）に退避させることができる。そのうえで、クーポンプリンタ１は、印刷要求を受信すると、この印刷要求に応じてクーポンＣｐを印刷する前に、この印刷要求に印刷するよう指示されているクーポン画像と同一のクーポン画像が印刷されたクーポンＣｐが、退避エリア１１（１１Ａ〜１１Ｄ）に退避させているクーポンＣｐの中に存在するかどうかを確認し、存在する場合には、新たなクーポンＣｐを印刷して排出する代わりに、この退避エリア１１（１１Ａ〜１１Ｄ）に退避させているクーポンＣｐを排出するようにした。
【００３９】
このように、クーポンプリンタ１は、利用者が受け取らなかったクーポンＣｐを廃棄せずに退避エリア１１（１１Ａ〜１１Ｄ）に退避させ、以降のクーポン出力時に再利用することができるので、利用者が受け取らなかったクーポンＣｐを無条件に廃棄する従来のクーポンプリンタと比べて、無駄に廃棄するクーポンＣｐの枚数を削減することができる。
【００４０】
尚、このクーポンプリンタ１でも、全ての退避エリア１１（１１Ａ〜１１Ｄ）にクーポンＣｐを退避させている状態で、排出したクーポンＣｐを利用者が受け取らなかった場合には、各退避エリア１１（１１Ａ〜１１Ｄ）に退避させているクーポンＣｐのうちの１枚を廃棄するが、従来のクーポンプリンタのように利用者が受け取らなかったクーポンＣｐの全てを廃棄する場合と比べれば、廃棄するクーポンＣｐの枚数は十分少なくなる。
【００４１】
また、クーポンプリンタ１では、クーポンＣｐを再利用するようにしたことで、利用者が受け取らなかったクーポンＣｐを無条件に廃棄する従来のクーポンプリンタと比べて、ロール紙Ｒｐや、印刷部１０で使用するインク（もしくはトナー）などの消耗品を節約することができる。この結果、クーポンプリンタ１では、消耗品の交換頻度を少なくして、印刷コストを抑えることもできる。
【００４２】
［２．第２の実施の形態］
次に、第２の実施の形態について説明する。この第２の実施の形態は、クーポンプリンタ１の出力処理が第１の実施の形態とは異なる実施の形態である。クーポンプリンタ１の構成については、第１の実施の形態と同様の為、詳しい説明については第１の実施の形態を参照とする。
【００４３】
［２−１．クーポンプリンタの出力処理］
第２の実施の形態によるクーポンプリンタ１の出力処理は、第１の実施の形態の出力処理（図２）のステップＳＰ８の処理（すなわちクーポンＣｐを退避エリア１１に退避させる処理）を、図４に示すステップＳＰ２０〜ＳＰ２６の処理に拡張したものであり、ステップＳＰ１〜ＳＰ７、ステップＳＰ９、ＳＰ１０の処理については、第１の実施の形態の出力処理と同様の処理を行うようになっている。ゆえに、ここでは、ステップＳＰ１〜ＳＰ７、ステップＳＰ９、ＳＰ１０の処理の詳しい説明については省略する。
【００４４】
クーポンプリンタ１の制御部１３は、４個の退避エリア１１（１１Ａ〜１１Ｄ）のうちの少なくとも１つを空にした状態で、ステップＳＰ２０に移る。ステップＳＰ２０において制御部１３は、２個の排出ローラ１８Ａ、１８Ｂで保持しているクーポンＣｐ（すなわち抜き取られなかったクーポンＣｐ）を、筐体２の内部に取り込み、空いている退避エリア１１へ搬送して、この退避エリア１１に退避させる。
【００４５】
ところで、クーポンプリンタ１では、退避エリア１１に退避させていたクーポンＣｐを再利用して排出口１５から排出した後、このクーポンＣｐを利用者が受け取らなかった場合、再びこのクーポンＣｐを退避エリア１１に退避させることになる。そこで、この第２の実施の形態では、制御部１３が、退避エリア１１（１１Ａ〜１１Ｄ）に退避させたクーポンＣｐのそれぞれの退避回数をカウントするようになっていて、カウントした退避回数を退避回数情報として、退避させているクーポンＣｐのクーポン識別情報と紐付けてクーポンＣｐごとに管理する（つまり記憶部に記憶する）ようになっている。
【００４６】
つづくステップＳＰ２１において制御部１３は、空の退避エリア１１に退避させたクーポンＣｐのクーポン識別情報に紐付けられた退避回数情報を記憶部から読み出す。尚、このとき記憶部から読み出した退避回数情報には、退避エリア１１に退避させたクーポンＣｐの前回までの退避回数（例えば今回の退避が２回目であれば１回）が示されている。つづくステップＳＰ２２において制御部１３は、今回の退避をカウントする為、読み出した退避回数情報に示されている退避回数をインクリメント（＋１）する。
【００４７】
つづくステップＳＰ２３において制御部１３は、インクリメント後の退避回数が、予め設定されている上限回数を超えているかどうかを判断する。ここで、インクリメント後の退避回数が上限回数を超えている場合、制御部１３は、ステップＳＰ２３で肯定結果を得て、ステップＳＰ２４に移る。ステップＳＰ２４において制御部１３は、今回退避させたクーポンＣｐを、退避エリア１１の廃棄口１２へ搬送して、廃棄口１２から廃棄エリア４に放出する。つづくステップＳＰ２５において制御部１３は、廃棄エリア４に放出したクーポンＣｐのクーポン識別情報及び退避回数情報を記憶部から消去して、次のステップＳＰ９に移る。
【００４８】
また一方で、インクリメント後の退避回数が上限回数を超えていない場合、制御部１３は、ステップＳＰ２３で否定結果を得て、ステップＳＰ２６に移る。ステップＳＰ２６において制御部１３は、記憶部に記憶されている、今回退避させたクーポンＣｐの退避回数情報をインクリメント後の退避回数で更新して、次のステップＳＰ９に移る。
【００４９】
第２の実施の形態によるクーポンプリンタ１の出力処理は、以上のようになっている。このように、第２の実施の形態のクーポンプリンタ１では、退避させたクーポンＣｐごとに退避回数をカウントして、退避回数が上限回数を超えたクーポンＣｐについては、それ以上再利用することなく廃棄するようになっている。
【００５０】
［２−２．まとめと効果］
ここまで説明したように、第２の実施の形態のクーポンプリンタ１は、退避エリア１１（１１Ａ〜１１Ｄ）に退避させたクーポンＣｐごとに退避回数をカウントして、退避回数が上限回数を超えたクーポンＣｐについては、それ以上再利用することなく廃棄するようにした。
【００５１】
実際、１枚のクーポンＣｐを何度も再利用して、何度も排出と退避を繰り返すと、何度も搬送ローラ２１Ａ、２１Ｂの間に挟まれて搬送されることで、クーポンＣｐにローラ痕などの汚れが付いてしまったり、シワが付くなどして痛んでしまったりする可能性が出てくる。そこで、第２の実施の形態のクーポンプリンタ１では、退避回数に上限回数を設けて、クーポンＣｐを、汚れたり痛んだりしない範囲で再利用するようにした。
【００５２】
こうすることで、第２の実施の形態のクーポンプリンタ１では、無駄に廃棄するクーポンＣｐの枚数を削減することができつつ、汚れたり痛んだりしたクーポンＣｐを利用者に提供してしまう状況を回避することができる。また、クーポンプリンタ１では、シワがつくなどして痛んでしまう前にクーポンＣｐを廃棄することで、痛んだクーポンＣｐが搬送途中でジャム（紙詰まり）となってしまうことを防ぐこともできる。
【００５３】
また、退避回数の上限回数については、できるだけ無駄に廃棄するクーポンＣｐの枚数を減らすことを考慮すると、クーポンＣｐが汚れたり痛んだりすることのない範囲の回数で、且つできるだけ大きな値の回数とすることが望ましい。尚、上限回数は、クーポンプリンタ１に対して１個設定されているものであり、退避させたクーポンＣｐの全てで共通の回数となっている。
【００５４】
［３．第３の実施の形態］
次に、第３の実施の形態について説明する。この第３の実施の形態は、クーポンプリンタ１の出力処理が第１及び第２の実施の形態とは異なる実施の形態である。クーポンプリンタ１の構成については、第１の実施の形態と同様の為、詳しい説明については第１の実施の形態を参照とする。
【００５５】
［３−１．クーポンプリンタの出力処理］
第３の実施の形態によるクーポンプリンタ１の出力処理は、第１の実施の形態の出力処理（図２）のステップＳＰ７の処理（すなわち退避エリア１１に退避させているクーポンＣｐのうちの１枚を廃棄する処理）を、図５に示すステップＳＰ３０〜ＳＰ３６の処理に拡張したものであり、ステップＳＰ１〜ＳＰ６、ステップＳＰ８〜ＳＰ１０の処理については、第１の実施の形態の出力処理と同様の処理を行うようになっている。ゆえに、ここでは、ステップＳＰ１〜ＳＰ６、ステップＳＰ８〜ＳＰ１０の処理の詳しい説明については省略する。
【００５６】
クーポンプリンタ１の制御部１３は、空の退避エリア１１が無い為にステップＳＰ６で否定結果を得ると、ステップＳＰ３０に移る。ステップＳＰ３０において制御部１３は、４個の退避エリア１１（１１Ａ〜１１Ｄ）のうちの１つを選択する。つづくステップＳＰ３１において制御部１３は、選択した退避エリア１１に退避させているクーポンＣｐのパターンコードを記憶部から読み出す。つづくステップＳＰ３２において制御部１３は、読み出したパターンコードがこれまでに印刷要求された回数（これを総印刷要求回数と呼ぶ）を示す総印刷要求回数情報を記憶部から読み出す。
【００５７】
尚、この第３の実施の形態では、制御部１３が、印刷要求から取得したパターンコードごとに総印刷要求回数をカウントするようになっていて、この総印刷要求回数を総印刷要求回数情報としてパターンコードと紐付けてパターンコードごとに管理（すなわち記憶部に記憶）するようになっている。具体的に、制御部１３は、印刷要求を受信して、この印刷要求からパターンコードを取得すると、このパターンコードに紐付けられている総印刷要求回数情報を記憶部から読み出して、読み出した総印刷要求回数情報に示されている総印刷要求回数をインクリメント（＋１）して更新するようになっている。
【００５８】
ステップＳＰ３２につづくステップＳＰ３３において制御部１３は、読み出した総印刷要求回数情報に示されている総印刷要求回数（すなわち選択した退避エリア１１に退避させているクーポンＣｐのパターンコードの総印刷要求回数）が、ここまでに選択した退避エリア１１に退避させているクーポンＣｐのパターンコードの総印刷要求回数のうちの最小回数より小さいかどうかを判断する。
【００５９】
ここで、１番目の退避エリア１１（例えば退避エリア１１Ａ）を選択した時点では、まだ他の退避エリア１１は選択していない為、１番目の退避エリア１１に退避させているクーポンＣｐのパターンコードの総印刷要求回数が自動的に最小回数となる。ゆえに、このとき、制御部１３は、ステップＳＰ３３において、無条件に肯定結果を得て、ステップＳＰ３４に移る。ステップＳＰ３４において制御部１３は、１番目の退避エリア１１に退避させているクーポンＣｐのパターンコードの総印刷要求回数を最小回数とするとともに、この最小回数をパターンコードと紐付けて、次のステップＳＰ３５に移る。
【００６０】
これに対して、２番目以降の退避エリア１１を選択した場合には、制御部１３は、ステップＳＰ３３において、選択した退避エリア１１に退避させているクーポンＣｐのパターンコードの総印刷要求回数が最小回数より小さいかどうかを判断する。そして、選択した退避エリア１１に退避させているクーポンＣｐのパターンコードの総印刷要求回数が最小回数より小さい場合には、ステップＳＰ３３で肯定結果を得て、ステップＳＰ３４に移り、選択した退避エリア１１に退避させているクーポンＣｐのパターンコードの総印刷要求回数を最小回数とするとともに、この最小回数をパターンコードと紐付けて、次のステップＳＰ３５に移る。
【００６１】
ステップＳＰ３５において制御部１３は、全ての退避エリア１１（１１Ａ〜１１Ｄ）を選択し終えたかどうかを判断する。ここで、まだ全ての退避エリア１１（１１Ａ〜１１Ｄ）を選択し終えていない場合、制御部１３は、ステップＳＰ３５で否定結果を得て、ステップＳＰ３０に戻り、次の退避エリア１１を選択する。
【００６２】
これに対して、全ての退避エリア１１（１１Ａ〜１１Ｄ）を選択し終えた場合、制御部１３は、ステップＳＰ３５で肯定結果を得て、ステップＳＰ３６に移る。この時点で、制御部１３は、各退避エリア１１（１１Ａ〜１１Ｄ）に退避させているクーポンＣｐのパターンコードのうち、総印刷要求回数が最小のパターンコードを特定したことになる。
【００６３】
ステップＳＰ３６において制御部１３は、各退避エリア１１（１１Ａ〜１１Ｄ）に退避させているクーポンＣｐのうち、総印刷要求回数が最小のパターンコードでなるクーポンＣｐを、退避エリア１１の廃棄口１２へ搬送して、廃棄口１２から廃棄エリア４に放出する。その後、制御部１３は、ステップＳＰ８に移る。
【００６４】
第３の実施の形態によるクーポンプリンタ１の出力処理は、以上のようになっている。このように、第３の実施の形態のクーポンプリンタ１では、印刷要求から取得したパターンコードごとに総印刷要求回数をカウントして、クーポンＣｐを廃棄する状況になったときに、退避エリア１１（１１Ａ〜１１Ｄ）に退避させているクーポンＣｐのうち、パターンコードの総印刷要求回数が最小のクーポンＣｐを廃棄するようになっている。
【００６５】
［３−２．まとめと効果］
ここまで説明したように、第３の実施の形態のクーポンプリンタ１は、印刷要求から取得したパターンコードごとに総印刷要求回数をカウントして、クーポンＣｐを廃棄する状況になったときに、退避エリア１１（１１Ａ〜１１Ｄ）に退避させているクーポンＣｐのうち、パターンコードの総印刷要求回数が最小のクーポンＣｐを廃棄するようにした。
【００６６】
実際、総印刷要求回数が最小のパターンコードは、印刷要求の発生頻度が最も低いパターンコードである。よって、総印刷要求回数が最小のパターンコードで印刷されたクーポンＣｐは、今後、再利用する可能性が最も低いクーポンＣｐであると言える。そこで、第３の実施の形態のクーポンプリンタ１では、このような再利用する可能性が低いクーポンＣｐを廃棄するようにして、再利用する可能性が高いクーポンＣｐは退避エリア１１に残すようにした。
【００６７】
こうすることで、第３の実施の形態のクーポンプリンタ１では、無駄に廃棄するクーポンＣｐの枚数を削減することができるとともに、第１及び第２の実施の形態と比べて、より効率的にクーポンＣｐを再利用することができる。
【００６８】
［４．他の実施の形態］
［４−１．他の実施の形態１］
尚、上述した第１の実施の形態では、クーポンプリンタ１が、クーポンＣｐの一部を排出口１５から外部に露出させた状態のまま待機し、その後、次の印刷要求を受信した時点で、一部を排出口１５から外部に露出させた状態のクーポンＣｐを、筐体２の内部に取り込んで退避エリア１１に退避させるようにした。
【００６９】
これに限らず、クーポンＣｐの一部を排出口１５から外部に露出させた状態のまま待機し、その後、次の印刷要求を受信することなく所定時間経過したら、一部を排出口１５から外部に露出させた状態のクーポンＣｐを、筐体２の内部に取り込んで退避エリア１１に退避させるようにしてもよい。このようにすれば、次の印刷要求を受信するまでクーポンＣｐの一部を排出口１５から外部に露出させ続けてしまう状況を回避できる。
【００７０】
［４−２．他の実施の形態２］
また、上述した第２の実施の形態では、退避回数の上限回数を、退避させたクーポンＣｐの全てで共通の回数としたが、これに限らず、退避回数の上限回数を、退避させたクーポンＣｐごとに異なる回数としてもよい。例えば、クーポンプリンタ１に、パターンコードごとに異なる上限回数を設定するようにして、退避させたクーポンＣｐの退避回数が、このクーポンＣｐのパターンコードに対応する上限回数を超えたら、このクーポンＣｐを廃棄するようにしてもよい。この場合、印刷要求にパターンコードとその上限回数が含まれていて、制御部１３が、印刷要求からこれらを取得して、パターンコードごとに異なる上限回数を設定するようにしてもよい。また、例えば、クーポンプリンタ１の管理者が、クーポンプリンタ１に対してパターンコードごとに異なる上限回数を手動で設定するなどしてもよい。
【００７１】
［４−３．他の実施の形態３］
また、上述した第１の実施の形態では、排出口１５に一部を露出させた状態で保持しているクーポンＣｐを退避エリア１１に退避させようとしたときに、空の退避エリア１１が無い場合には、退避エリア１１（１１Ａ〜１１Ｄ）に退避させているクーポンのうちの１枚を廃棄エリア４に搬送して、退避エリア１１の１つを空けるようにした。これに限らず、例えば、図６に示すように、クーポンプリンタ１の搬送路Ｒ２を１番下の退避エリア１１Ｄの下方まで延ばし、さらに搬送路Ｒ２の下端から後方へと延び、後端の廃棄口１２まで延びる廃棄用の搬送路Ｒ７を追加して、空きの退避エリア１１が無い場合に、各退避エリア１１（１１Ａ〜１１Ｄ）に退避させているクーポンＣｐはそのままに、排出口１５に一部を露出させた状態で保持しているクーポンＣｐを、搬送路Ｒ２、Ｒ７、廃棄口１２を介して、廃棄エリア４へ搬送するようにしてもよい。
【００７２】
また、このような廃棄用の搬送路Ｒ７を第３の実施の形態のクーポンプリンタ１に追加して、制御部１３が、空の退避エリア１１が無い場合に、各退避エリア１１（１１Ａ〜１１Ｄ）に退避させているクーポンＣｐの総印刷要求回数にくわえて、排出口１５に一部を露出させた状態で保持しているクーポンＣｐの総印刷要求回数を取得し、これらのうち、総印刷要求回数が最小のクーポンＣｐを、廃棄エリア４に搬送するようにしてもよい。このとき、排出口１５に一部を露出させた状態で保持しているクーポンＣｐの総印刷要求回数が最小であるならば、このクーポンＣｐが、搬送路Ｒ２、Ｒ７、廃棄口１２を介して、廃棄エリア４へ搬送されることになる。
【００７３】
［４−４．他の実施の形態４］
さらに、上述した第１の実施の形態では、クーポンＣｐを、退避エリア１１（１１Ａ〜１１Ｄ）に退避させるようにしたが、例えば、印刷要求に含まれているパターンコードがユニークなものであり、このパターンコードで印刷したクーポンＣｐが再利用できないクーポンＣｐである場合には、このクーポンＣｐを、退避エリア１１（１１Ａ〜１１Ｄ）に退避させることなく、退避エリア１１を通過させて、廃棄エリア４に搬送するようにしてもよい。また、この場合も、上述した廃棄用の搬送路Ｒ７を追加するようにすれば、空の退避エリア１１が無い場合に、再利用できないクーポンＣｐを、搬送路Ｒ２、Ｒ７、廃棄口１２を介して、廃棄エリア４へ搬送することができる。
【００７４】
［４−５．他の実施の形態５］
さらに、上述した第３の実施の形態では、退避エリア１１に退避させているクーポンＣｐのうち、総画像形成要求回数の具体例である総印刷要求回数が最小のパターンコードで印刷されたクーポンＣｐを、他のクーポンＣｐよりも再利用する可能性が低いクーポンＣｐとして廃棄するようにした。これに限らず、再利用する可能性が一番低いクーポンＣｐがどれであるのかを特定できる情報であれば、総印刷要求回数以外の情報を用いて、再利用する可能性が他のクーポンＣｐより低いクーポンＣｐを特定するようにしてもよい。例えば、クーポンＣｐのそれぞれに有効期限（例えば『３月中』など）が設定されているならば、退避させたクーポンＣｐのうち、有効期限が最も早く切れるクーポンＣｐを、再利用する可能性が他のクーポンＣｐよりも低いクーポンＣｐとして廃棄するようにしてもよい。尚、クーポンＣｐの有効期限は、例えば印刷要求に含まれているものとする。
【００７５】
また、これに限らず、例えば、退避エリア１１に退避させているクーポンＣｐのうち、シワが付くなどして他のクーポンＣｐより痛んでいるクーポンＣｐ（つまり一番痛んでいるクーポンＣｐ）を廃棄するようにしてもよい。実際、クーポンＣｐはシワが付くと縮んでしまう為、その分、搬送中にセンサ１９（もしくはセンサ２０）がオンする時間（これをオン時間と呼ぶ）が短くなる。そこで、制御部１３が、例えば、クーポンＣｐを排出口１５から退避エリア１１に搬送するまでの間のセンサ１９のオン時間を計測して、これをクーポンＣｐのクーポン識別情報に紐付けて管理するようにし、退避エリア１１に退避させているクーポンＣｐのうち、このオン時間が最短のクーポンＣｐを廃棄するようにする。このようにすれば、クーポンプリンタ１の構成はそのままに、他のクーポンＣｐより痛んでいるクーポンＣｐを特定してこれを廃棄することができる。また、これに限らず、例えば、クーポンＣｐの痛み具合を検出するセンサをクーポンプリンタ１に別途設け、このセンサから得られるクーポンＣｐの痛み具合をもとに、他のクーポンＣｐより痛んでいるクーポンＣｐを特定して、これを廃棄するようにしてもよい。
【００７６】
さらに、例えば、退避エリア１１に退避させているクーポンＣｐのうち、重要度が一番低いクーポンＣｐを廃棄するようにしてもよい。この場合、例えば、印刷要求に、パターンコードとともにクーポンＣｐの重要度が含まれていて、制御部１３が、印刷要求からこの重要度を取得して、クーポンＣｐのクーポン識別情報に紐付けて管理するようにすればよい。
【００７７】
［４−６．他の実施の形態６］
さらに、上述した各実施の形態では、クーポンプリンタ１に４個の退避エリア１１Ａ〜１１Ｄを設けたが、これに限らず、少なくとも１個の退避エリア１１をクーポンプリンタ１に設けるようにすればよい。また、クーポンプリンタ１に設ける退避エリア１１の数を多くして、その代わりに、廃棄エリア４を省略するなどしてもよい。
【００７８】
［４−７．他の実施の形態７］
さらに、上述した各実施の形態では、複数の利用者に対して共通の印字内容となることがあるクーポンＣｐを出力するクーポンプリンタ１に本発明を適用したが、これに限らず、過去に出力した単票媒体と同一の単票媒体を再度出力することがあるプリンタであれば、クーポンＣｐ以外の単票媒体を出力するプリンタにも適用することができる。また、例えば、切手サイズの単票媒体、紙幣サイズの単票媒体、新聞サイズの単票媒体など、様々なサイズの単票媒体を出力するプリンタに適用することができる。例えば、どのバス停から乗車したのかを示すバスの整理券を出力するプリンタに適用することもできる。また、例えば、遊園地や動物園などのレジャー施設に設置された、言語ごとに複数種類用意された案内地図を出力するプリンタなどにも適用できる。尚、いずれのプリンタにおいても、出力した単票紙を利用者が受け取らない場合があることを前提とする。
【００７９】
さらに、上述した各実施の形態では、クーポンプリンタ１を、本発明の画像形成装置の具体例として説明したが、これに限らず、上述したように、クーポンプリンタ１とは異なる構成の画像形成装置に適用してもよい。
【００８０】
さらに、上述した各実施の形態では、画像形成部の具体例として印刷部１０を用いたが、これに限らず、媒体に画像を形成するものであれば、印刷部１０とは異なる画像形成部を用いてもよい。また、印刷部１０の印刷方式としては、インクジェット方式や、電子写真方式、熱転写方式、ドットインパクト方式など、種々の印刷方式を用いることができる。さらに、上述した各実施の形態では、媒体保持部の具体例として、排出ローラ１８Ａ、１８Ｂを用いたが、これに限らず、媒体を保持できるものであれば、排出ローラ１８Ａ、１８Ｂとは異なる媒体保持部を用いてもよい。
【００８１】
さらに、上述した各実施の形態では、搬送部の具体例として、搬送ローラ２１Ａ、２１Ｂを用いたが、これに限らず、媒体を搬送するものであれば、搬送ローラ２１Ａ、２１Ｂとは異なる搬送部を用いてもよい。さらに、上述した各実施の形態では、クーポンプリンタ１が、画像形成要求の具体例である印刷要求を受信して、この印刷要求に応じてクーポンＣｐを印刷するようにしたが、これに限らず、媒体に画像を形成するよう要求する情報であれば、印刷要求とは異なる情報を受信して、この情報に応じて媒体に画像を形成するようにしてもよい。さらに、上述した各実施の形態では、媒体に形成する画像の画像識別情報として、パターンコードを用いたが、これに限らず、媒体に形成する画像を識別できる情報であれば、パターンコード以外の情報を用いてもよい。
【００８２】
［４−８．他の実施の形態８］
さらに、本発明は、上述した各実施の形態に限定されるものではない。すなわち本発明は、上述した各実施の形態の一部または全部を任意に組み合わせた実施の形態や、一部を抽出した実施の形態にもその適用範囲が及ぶものである。例えば、上述した第２の実施の形態の出力処理と第３の実施の形態の出力処理を組み合わせてもよい。このようにすれば、汚れたり痛んだりしたクーポンＣｐを利用者に提供してしまう状況を回避することができるとともに、より効率的にクーポンＣｐを再利用することができる。
【産業上の利用可能性】
【００８３】
本発明は、クーポンなどの単票紙を出力するプリンタで広く利用することができる。
【符号の説明】
【００８４】
１……クーポンプリンタ、４……廃棄エリア、１０……印刷部、１１……退避エリア、１３……制御部、１５……排出口、１８Ａ、１８Ｂ……排出ローラ、１９、２０……センサ、２１Ａ、２１Ｂ……搬送ローラ、Ｒ１、Ｒ２、Ｒ３、Ｒ４、Ｒ５、Ｒ６、Ｒ７……搬送路、Ｃｐ……クーポン。
【図１】
2017197326.tif 000003
【図２】
2017197326.tif 000004
【図３】
2017197326.tif 000005
【図４】
2017197326.tif 000006
【図５】
2017197326.tif 000007
【図６】
2017197326.tif 000008